(57)【特許請求の範囲】
【請求項１】
転写層とともに転写フォイルを形成している支持フォイルから前記転写層を被印刷体へ移す方法であって、
塗布ユニットで、前記被印刷体に少なくとも領域ごとに接着剤を付与し、
転写ユニットで、前記被印刷体を前記転写フォイルと一緒に、互いに対向する転写面と押圧面とから形成された転写間隙を通るように導き、
前記転写間隙内で前記転写層を、第１の押付圧の作用により、実質的に接着剤が付与されている領域で部分的に前記被印刷体上に移し、
前記被印刷体を、移された前記転写層とともに、互いに対向する２つの面により形成された少なくとも１つの間隙を有する少なくとも１つの第３のユニットへ供給し、
前記転写層を備えている前記被印刷体を、前記間隙を通り抜けるように導き、該間隙内で、前記転写層を備えている前記被印刷体に少なくとも押付圧を及ぼすことができる、支持フォイルから転写層を被印刷体へ移す方法において、
前記転写ユニットと少なくとも１つの前記第３のユニットとにおける前記間隙で前記被印刷体へ作用する圧力である押付圧を、少なくとも、前記間隙を形成する各面の互いの当接状態によって変えることができ、
前記間隙を形成する前記各面が互いに押し付け合う力である押付力と、前記間隙を形成する前記各面の間隔によって規定される印圧調節量とのグループのうちの少なくとも１つの制御量を、前記転写ユニット（１０２）および後続の前記第３のユニット（１０３）のうちの少なくとも１つにおいて変えることができ、
前記押付圧、前記押付力および前記印圧調節量を含む測定量の集合の中の少なくとも１つを、前記転写ユニット（１０２）において認識し、
前記押付圧、前記押付力および前記印圧調節量を含む測定量の集合の中の少なくとも１つを、前記第３のユニット（１０３）において認識し、
認識した前記測定量に応じて、前記転写ユニット（１０２）と後続の前記第３のユニット（１０３）の各ユニットのうちの少なくとも１つにおいて、前記転写ユニットと前記第３のユニットとで認識した前記測定量の差異をなくすように少なくとも１つの前記制御量を制御する
ことを特徴とする、支持フォイルから転写層を被印刷体へ転移する方法。
【請求項２】
前記転写ユニット（１０２）と前記第３のユニット（１０３）で同じ前記測定量を認識して比較し、その都度の前記差異の程度を表す値を求める、請求項１に記載の方法。
【請求項３】
少なくとも１つの異なる測定量の程度を表す、認識された値同士の差または商をその都度求める、請求項２に記載の方法。
【請求項４】
前記転写ユニットおよび／または前記第３のユニットにおける前記印圧調節量および前記押付力の量のうちの少なくとも１つを、制御量として、前記第３のユニット（１０３）の少なくとも１つの前記測定量が前記転写ユニット（１０２）の対応する前記測定量を実質的に上回らないように変更する、請求項１または２に記載の方法。
【請求項５】
少なくとも１つの測定量を、前記転写ユニット（１０２）と少なくとも１つの前記第３のユニット（１０３）とにおいて認識し、
前記測定量の差を求め、
前記第３のユニット（１０３）における前記測定量が前記転写ユニット（１０２）における前記測定量よりも大きいか否かを判定し、
前記第３のユニット（１０３）における前記測定量がより大きいとき、および／または限界値を超えているときには、印圧調節量および押付力の少なくとも１つを制御量として前記第３のユニットにおいて引き下げる、請求項４に記載の方法。
【請求項６】
少なくとも１つの測定量を、前記転写ユニット（１０２）と少なくとも１つの前記第３のユニット（１０３）とにおいて認識し、
前記測定量の差を求め、
前記第３のユニット（１０３）における前記測定量が前記転写ユニット（１０２）における前記測定量よりも大きいか否かを判定し、
前記第３のユニット（１０３）における前記測定量がより大きいとき、および／または限界値を超えているときには、印圧調節量および押付力の少なくとも１つを制御量として前記転写ユニットにおいて引き上げる、請求項４に記載の方法。
【請求項７】
少なくとも１つの測定量を、前記転写ユニット（１０２）と少なくとも１つの前記第３のユニット（１０３）とにおいて認識し、
前記測定量の差を求め、
前記第３のユニット（１０３）における前記測定量が前記転写ユニット（１０２）における前記測定量よりも大きいか否かを判定し、
前記第３のユニット（１０３）における前記測定量がより大きいとき、および／または限界値を超えているときには、印圧調節量および押付力の少なくとも１つを制御量として前記第３のユニットで引き下げて前記転写ユニットで引き上げる、請求項４に記載の方法。
【請求項８】
前記転写ユニット（１０２）における前記測定量である前記印圧調節量および前記押付力のうちの少なくとも１つが、後続の前記第３のユニット（１０３）における当該測定量よりも小さくならないように、引き上げおよび／または引き下げを行う、請求項５から７のいずれか１項に記載の方法。
【請求項９】
前記間隙（１０５，１０９）における前記各面（１０６，１０７，１１０，１１１）の間の押付圧を、前記測定量として、前記面（１０６，１０７，１１０，１１１）のうちの１つにおいてセンサ（４０２）によって認識する、請求項５から７のいずれか１項に記載の方法。
【請求項１０】
認識した押付圧を、評価装置（３０４）への転送のために、前記センサ（４０２）から、前記間隙（１０５，１０９）の外部に用意された受信機（４０４）へ無線伝送方式で送る、請求項９に記載の方法。
【請求項１１】
前記各面の相互の押付力を、前記測定量として、互いに対向している前記面（１０６，１０７，１１０，１１１）のうち少なくとも１つの軸受の領域で力を測定することによって求める、請求項５から７のいずれか１項に記載の方法。
【請求項１２】
請求項１から１１のいずれか１項に記載の方法を実施するためのフォイル転写装置であって、
塗布ユニット（１０１）を通り抜けて導かれる被印刷体（１０４）に、接着剤（２０２）を、少なくとも領域ごとに付与するための塗布ユニット（１０１）と、
転写層（２０１）とともに転写フォイル（１０８）を形成している支持フォイルから転写層（２０１）を前記被印刷体（１０４）へ、少なくとも領域ごとに移すための転写間隙（１０５）を備えている、前記塗布ユニット（１０１）の後に配置された転写ユニット（１０２）と、
前記転写層（１０８）が塗布された前記被印刷体（１０４）をさらに処理するために、２つの面（１１０，１１１）により形成された間隙（１０９）を備えている、少なくとも１つの第３のユニット（１０３）と、
を含んでいるフォイル転写装置において、
制御量である、前記転写ユニット（１０２）の前記転写間隙（１０５）および／または前記第３のユニット（１０３）の前記間隙（１０９）における前記押付力および前記印圧調節量のうちの少なくとも１つを、前記間隙（１０５，１０９）での前記押付圧、前記押付力および前記印圧調節量のうちの少なくとも１つの認識された測定量に応じて調整するための調節装置（３０３）が設けられている
ことを特徴とするフォイル転写装置。
【請求項１３】
前記調節装置（３０３）は、測定量である、前記転写ユニット（１０２）の前記転写間隙（１０５）と少なくとも１つの前記第３のユニット（１０３）の前記間隙（１０９）とにおける前記押付圧、前記押付力および前記印圧調節量のうちの少なくとも１つを認識するための少なくとも１つの検出装置（３０２）を含んでいる、請求項１２に記載のフォイル転写装置。
【請求項１４】
前記調節装置（３０３）は、認識された測定量を評価するための評価装置（３０４）と、制御量である、前記転写ユニット（１０２）の前記転写間隙（１０５）および／または前記第３のユニット（１０３）の前記間隙（１０９）における前記押付力および前記印圧調節量のうちの少なくとも１つを、認識された前記測定量のうちの少なくとも１つに応じて制御するための制御装置（３０６）とを含んでいる、請求項１３に記載のフォイル転写装置。
【請求項１５】
前記評価装置（３０４）は、前記第３のユニット（１０３）の前記間隙（１０９）と前記転写間隙（１０５）とにおいて認識された前記測定量の商もしくは差を求めるための、少なくとも１つの商生成機構および／または差生成機構（３０５）を有している、請求項１４に記載のフォイル転写装置。
【請求項１６】
前記転写間隙（１０５）および／または前記第３のユニット（１０３）の前記間隙（１０９）は、データ伝送のために検出装置に接続された圧力センサ（４０２）が組み込まれた面（４０１）を有している、請求項１２または１３に記載のフォイル転写装置。
【請求項１７】
転写表面および／または前記第３のユニットの前記間隙（１０９）の前記面（４０１）の表面は、交換可能な胴ばりによって構成されている、請求項１６に記載のフォイル転写装置。
【請求項１８】
前記圧力センサ（４０２）は、該圧力センサ（４０２）によって求められた調節量を、少なくとも前記評価装置（３０４）に接続された受信ユニット（４０４）へ非接触で送る送信機構（４０３）を含んでいる、請求項１６に記載のフォイル転写装置。
【請求項１９】
請求項１２から１８のいずれか１項に記載のフォイル転写装置（１００）で胴（１１０，１０６）または平面へ胴ばりを施すための胴ばり面（４０１）において、
前記胴ばり面（４０１）は、該胴ばり面（４０１）に作用する圧力を認識するための、組み込まれた圧力センサ（４０２）を有している
ことを特徴とする胴ばり面。
【請求項２０】
前記胴ばり面（４０１）は、前記圧力センサ（４０２）により認識された前記圧力を受信装置（４０４）へ非接触で伝送するための、組み込まれた送信機（４０３）を有している、請求項１９に記載の胴ばり面。
【発明の詳細な説明】
【技術分野】
【０００１】
本発明は、転写層とともに転写フォイルを形成している支持フォイルから転写層を被印刷体へ移す方法に関する。被印刷体は、塗布ユニットで、少なくとも領域ごとに接着剤を付与され、続いて、転写ユニットで、転写フォイルと一緒に、互いに当接する転写面と押圧面とから形成された転写間隙を通るように導かれる。転写層は、転写間隙内で、第１の押付圧の作用により、実質的に接着剤が付与されている領域で部分的に被印刷体上に移される。それから、被印刷体は、移された転写層とともに、互いに当接する２つの面により形成された少なくとも１つの間隙を有する少なくとも１つの第３のユニットへ供給される。転写層を備えている被印刷体は、間隙を通り抜けるように導かれ、その間隙内で、転写層を備えている被印刷体に少なくとも押付圧を及ぼすことができる。
【０００２】
さらに本発明は、塗布ユニットを通り抜けて導かれる被印刷体に、接着剤を、少なくとも領域ごとに付与するための塗布ユニットと、転写層とともに転写フォイルを形成している支持フォイルから転写層を被印刷体へ、少なくとも領域ごとに移すための転写間隙を備えている、塗布ユニットの後に配置された転写ユニットと、転写層が塗布された被印刷体をさらに処理するために、２つの面により形成された間隙を備えている、少なくとも１つの第３のユニットと、を含んでいるフォイル転写装置に関する。
【０００３】
さらに本発明は、特にフォイル転写装置で、転写ユニットの胴に胴ばりを施すための胴ばり面にも関する。
【０００４】
好ましくは、本発明は、いわゆる非加熱箔押し（Kaltfolienpraegen）に適した装置、方法、および胴ばり面に関する。
【背景技術】
【０００５】
非加熱箔押しでは、転写層が支持材から被印刷体へ移される。
【０００６】
支持材としては支持フォイルが用いられる。転写層の上には、転写層と被印刷体上の接着剤との付着特性を向上させる付着層が設けられていてよい。支持材から移される層は、その実際の構造に関わりなく、一括して転写層と呼ばれる。
【０００７】
転写層を被印刷体上へ移すために、転写フォイルは被印刷体とともに転写間隙を通り抜けるように導かれる。転写間隙は、互いに当接する転写胴と圧胴とによって形成される。転写胴と圧胴は回転しながらある押付力をもって互いに当接し、転写間隙内で転写層が被印刷体に移される。
【０００８】
転写層が被印刷体に領域ごとに移されるようにするために、被印刷体に、フォイル転写の前に、フォイルが移されるべき領域に対応する接着剤層を設けておくことができる。
【０００９】
接着剤としては、無色の接着剤、固有の特定の色をもつ接着剤、あるいはフォイルに対応して着色された接着剤を用いることができる。
【００１０】
転写層は実質的に金属の層であってよいが、それ以外の層であってもよい。たとえば、必要に応じて黄色／金色のニス（ラッカー）層や銀色のニス層へ塗布されるアルミニウム層が設けられていてもよい。
【００１１】
さらに、転写層として、保護層を形成するように被印刷体に移される、たとえばＰＥフォイルからなる無色の層を用いることもできる。
【００１２】
非加熱箔押しを行う装置は特許文献１に記載されている。
【００１３】
それによると、非加熱箔押しは多色刷り印刷機の内部で行われる。被印刷体は、所定の搬送経路に沿って印刷機の中を搬送される。被印刷体は、たとえば枚葉紙、板紙、フォイル、または巻取紙すなわちウェブであってよい。
【００１４】
印刷機の第１の印刷ユニットで、被印刷体上にインキの代わりに接着剤が移される。接着剤を領域ごとに塗布するために、この印刷ユニットにはしかるべく画像形成された版が張り渡されており、従来のオフセット印刷インキと同じように接着剤が被印刷体上に移される。このように接着剤を塗布する印刷ユニットは、塗布ユニットと呼ばれる。
【００１５】
そして、被印刷体はさらに第２の印刷ユニットへ搬送される。この第２の印刷ユニットでは、圧胴とブランケット胴が転写ユニットの一部として構成されており、この場合、ブランケット胴が転写胴である。
【００１６】
この第２の印刷ユニットの領域には、転写フォイル供給軸と転写フォイル回収軸とを備えているフォイルモジュールがある。フォイル案内装置の中間ロールを介して、フォイルは転写フォイルウェブとして転写フォイル供給軸から転写間隙へ、そしてさらに転写フォイル回収軸へと導かれる。転写フォイルウェブは略してフォイルウェブと呼ぶこともできる。
【００１７】
転写層を被印刷体へ転写するために、転写フォイルウェブと、領域ごとの接着剤層を備えている被印刷体とは、それぞれの搬送経路に沿って、転写層が接着剤層上に載るように、一緒に転写間隙を通り抜けるよう導かれる。そして、押付圧によって、転写間隙内で転写層が被印刷体上に移される。この時、接着剤によって、転写層が転写フォイルから剥がされる。
【００１８】
これに続くプレスユニットは、移された転写層に対して、フォイルの上張りの耐久性が得られるような作用を施す。
【００１９】
特許文献２により、フォイル転写装置が、従来同様のオフセット印刷機、たとえば４色刷り機であってよいことが公知である。転写ユニットとそれに続くユニットは、印刷機の２次加工（ポストプレス）ユニットであってよく、特に、ここでは別の印刷ユニットが設けられていてよい。印刷機の２次加工ユニットすなわち２次処理ユニットとして、ニス塗布ユニット、アニロックスユニット、穴あけユニット、打ち抜きユニット、溝付けユニット、断裁ユニット、または型押しユニットが設けられていてよい。
【００２０】
特許文献１と特許文献２のいずれにおいても、転写層が塗布された被印刷体は、転写ユニットの後で、印刷機の別の２次加工装置すなわち２次処理ユニットをさらに通過するようになっている。
【００２１】
この２次処理ユニットは、特に、印刷機の使用中にはフォイル転写装置としては活動しないようになっていてよく、被印刷体に転写層が付与されていない場合にだけ、被印刷体に有効に作用することができる。そしてフォイル転写ユニットは、接着剤塗布ユニットと同様に、従来同様の印刷ユニットとして使用することができる。
【００２２】
しかしながら、印刷機の使用中に、２次処理装置をフォイル転写装置として有効に使用することも可能である。
【００２３】
その場合、転写層が付与された被印刷体は、２次処理ユニットの間隙を通り抜けるように導かれる。この間隙で、転写層を塗布された被印刷体が、さらに押付圧を受けるようになっていてよい。２次処理ユニットは、たとえば従来同様の印刷機の印刷ユニットであってよい。その場合、この間隙は印刷ユニットの印刷間隙であり、ブランケット胴と、ブランケット胴に当接させられる圧胴とによって形成される。
【００２４】
被覆された被印刷体に作用する押付圧は、フォイル転写ユニットでも、それに続く２次処理ユニットでも変更することができる。この押付圧は、間隙に関与するそれぞれの面が互いに当接させられる押付力の結果として生じるものである。印刷間隙もしくは転写間隙では、これらはブランケット胴と圧胴である。そのために、押付力もしくは押付圧は、一般に、印刷ユニットもしくは転写ユニットの印圧調節量（Druckbeistellung）の調節によって変更される。
【００２５】
印圧調節量は、間隙に関与する各胴の軸の間隔を表す量である。
【００２６】
印圧調節量はミリメートル単位で表される。印圧調節量の零点は、ブランケット胴の表面が、印刷間隙もしくは転写間隙を通って導かれる被印刷体の表面とちょうど接触する時の、ブランケット胴の軸から圧胴の軸までの間隔に設定される。したがって印圧調節量の零点は、常に、使用される被印刷体との関係で表される。
【００２７】
したがって、印圧調節量は被印刷体に応じて決まり、正の値をとることも負の値をとることもある。
【００２８】
負の印圧調節量の値は、転写胴もしくはブランケット胴の表面が被印刷体の表面と重なり合って被印刷体が相応に圧縮されていることを表している。
【００２９】
印圧調節量の正の値は、被印刷体の表面に接触しないときの、ブランケット胴もしくは転写胴から圧胴までの間隔を表している。
【００３０】
従来、印圧調節量は１０分の１ミリメートルのオーダーで表されているが、０．０１ｍｍの幅で調節可能である。たとえば印刷機の印刷ユニットのような２次処理ユニットで広く行われている被印刷体の処理のためには、通常、胴が被印刷体に両側から接触するのが好ましいので、一般に、負の印圧調節量に設定される。したがって、一般的な用法では、このような負の印圧調節量をマイナス記号を省いて、数値のみで表すことも慣例となっている。
【先行技術文献】
【特許文献】
【００３１】
【特許文献１】欧州特許出願公開明細書０５７８７０６Ｂ１号
【特許文献２】ドイツ特許出願公開明細書１０２００６０１５４７４Ａ１号
【発明の概要】
【発明が解決しようとする課題】
【００３２】
転写ユニットと、その後に配置された２次処理ユニットとで印圧調節量が変わることによって、結果として得られる印刷製品の品質低下が起こることがある。
【００３３】
転写ユニットの転写間隙では、端縁部同士が正しく合うように接着剤層が転写層で覆われる。こうして被覆された被印刷体に、後続の間隙であらためて押付圧が及ぼされると、転写層の下にある接着剤層が外に押し出されることがある。転写層の下から外にはみ出したこのような接着剤は、２次処理ユニットの間隙の各面に付着する可能性がある。たとえばブランケット胴のブランケットが接着剤で汚れる可能性があり、それにより、一方では、移されるインキ自体が汚れてしまい、また他方では、接着剤がブランケットとともに、被覆された枚葉紙から転写層の一部を再び剥ぎ取ってしまう可能性がある。
【００３４】
本発明の目的は、上述した問題を解決して、作製される印刷製品の品質を改善し、後続の２次加工ユニットが接着剤により汚れることを少なくとも低減させることである。
【課題を解決するための手段】
【００３５】
本発明の目的は、当該技術分野に属するフォイル転写装置と、転写ユニットの胴に胴ばりするためにそれと協働する胴ばり面と、それに対応する、前述した分野に属する方法によって達成される。
【００３６】
本発明の方法では、転写ユニットと第３のユニットとにおける押付圧が、間隙を形成する各面の調整を通じて変更される。このとき留意すべきことは、転写ユニットの転写間隙は、一般に、たとえばブランケット胴などの転写胴と圧胴とによって形成されており、第３のユニットの間隙は、しかるべき２次処理ユニットの間隙であることである。この間隙は、一方では、互いに押し付けられる２つの平坦な面によって形成できる。また、胴が平坦な面に押し付けられたり、２つの胴が互いに押し付けられたりする場合もある。たとえば第３の胴が印刷ユニットである場合、間隙を形成する互いに当接させられる面は、印刷間隙を一緒に形成するブランケット胴と圧胴である。
【００３７】
以下において印刷ユニット、印刷間隙という用語を使うときは、間隙を形成するあらゆる面が含まれるものとする。
【００３８】
さらに、転写ユニットと第３のユニットにおける押付圧は、印圧調節量の調整を通じて可変であるのがよい。上述したように印圧調節量は、使用される被印刷体内へ胴の表面がどれだけ大きく「入り込む」かを表している。本発明ではこの印圧調節量は可変である。
【００３９】
さらに、接着剤層に対する強すぎる力の作用によって接着剤が押し出されるのを防ぐために、考えられる測定量である、転写ユニットおよび／または少なくとも１つの第３のユニットの各面の押付圧、印圧調節量、および押付力のうちの少なくとも１つが認識され、それに応じて、転写ユニットおよび／または第３のユニットにおける制御量のうちの少なくとも１つが制御される。このような本発明に基づく制御によって、転写ユニットと第３のユニットとにおいて接着剤層に作用する力を、本発明により、接着剤が転写層の下から押し出されることがないように制御することができる。制御量としては、少なくとも間隙での押付圧に影響を及ぼすことができる、原則として制御可能な量が用いられる。ここでは印圧調節量および押付力が制御量として特に好ましい。印圧調節量はすでに説明したとおりであり、当接力（押付力）は、間隙に関与する各面が互いに当接させられる力である。このとき、一方の面が可動に構成されているか、それとも両方の面が可動に構成されているかは重要ではない。
【００４０】
目的を達成するために、前記した制御量である、転写ユニットの転写間隙および／または第３のユニットの間隙における押付力および印圧調節量のうちの少なくとも１つを、間隙での押付圧、押付力、および印圧調節量のうちの認識された１つの測定量に応じて調整するための少なくとも１つの調節装置が設けられている、当該技術分野のフォイル転写装置が設けられる。
【００４１】
本発明によると、転写ユニットにおける１つまたは複数の測定量が、第３のユニットにおける対応する値と比較されるようになっていることが好ましい。さまざまな測定量のこのような比較から、異なるユニットでの測定量の差異を示唆する大きさが求められる。そしてこの差異に基づき、少なくとも、押し出される接着剤の量を減らすために、各ユニットにおける少なくとも１つの制御量を再度制御することができる。
【００４２】
そのために、本発明によると、フォイル転写装置が、測定量である、転写ユニットの転写間隙と少なくとも１つの第３のユニットの間隙とにおける押付圧、押付力、および印圧調節量のうちの少なくとも１つを認識するための少なくとも１つの検出装置を含む調節装置を有している。
【００４３】
さらに、調節装置は、認識された測定量を評価するための評価装置と、制御量である、転写ユニットの転写間隙および／または第３のユニットの間隙における押付力および印圧調節量のうちの少なくとも１つを、認識された測定量のうちの少なくとも１つに応じて制御するための制御装置とを含むようになっている。
【００４４】
本発明によると、転写ユニットと第３のユニットで認識された値の間の差異を表す目安は、認識された値の差または商によって生成することができる。そのために本発明によると、認識された測定量の商もしくは差を求めるための、少なくとも１つの商生成機構および／または差生成機構を有している評価装置が設けられる。
【００４５】
転写ユニットの後に配置された第３のユニットで、転写層の下の接着剤が押し出されるのを防止するために、後に配置された第３のユニットで、接着剤と転写層とを備えている被印刷体に作用する押付圧が、転写ユニットで被印刷体に作用する押付圧を実質的に上回らないようになっている。そのために本発明によると、間隙に関与する各面の印圧調節量または押付力は、第３のユニットにおける押付圧、押付力、または印圧調節量が転写ユニットにおける対応する値を実質的に上回らないように変更されるようになっている。
【００４６】
転写ユニットで接着剤と転写層に作用する押付圧により、接着剤層はそこですでに最大に押し広げられる。しかし接着剤は、その平面的な広がりの全体で、転写フォイルの転写層と接触している。このようにして、押し広げられた接着剤も全面的にかつ鋭い端縁部で転写層と結合されて、転写層を転写フォイルから受け取る。すなわち、このときに転写層の下からで接着剤が押し出されることはない。
【００４７】
第３のユニットで、もともと転写間隙で押付圧によってすでに広げられている以上に接着剤層を大きく広げるような、いっそう高い押付圧が接着剤層にもはや作用しなければ、このユニットで接着剤が外に押し出されることはあり得ない。
【００４８】
転写ユニットで転写層および塗布された接着剤に作用する押付圧は、転写ユニットにだけ存在していて後続の第３のユニットには存在しない支持フォイルによって、いっそう強められることが確認されている。それにより、転写ユニットとそれに続く第３のユニットで作用する力もしくは印圧調節量との間の最大の差異の調整における誤差を、一定の限度内で許容可能であるという利点がある。
【００４９】
本発明による１つの好ましい発展例では、測定量である、押付圧、押付力、および印圧調節量の１つまたは複数が、転写ユニットだけでなく、少なくとも１つの第３のユニットでも認識されるようになっている。さらに、認識された値から、第３のユニットにおける１つまたは複数の測定量が、転写ユニットにおける対応する値よりも大きいか否かが判定されるようになっている。そのようになっている場合には、本発明によると、第３のユニットにおける接着剤の強い押付と、それに伴う接着剤のはみ出しとを回避するために、印圧調節量および／または押付力が制御量として第３のユニットで引き下げられるようになっている。
【００５０】
通常の場合、変更されるべき制御量は測定量に一致するようになっていてよく、あるいは、制御量が測定量とは異なるようになっていてもよく、このことは、特に、測定量として押付圧が測定され、たとえば印圧調節量が制御量として機能する場合に当てはまる。
【００５１】
これに代わる実施態様では、同様の場合において、転写ユニットにおける印圧調節量または押付力が引き上げられるようになっている。
【００５２】
特に、第３のユニットにおける印圧調節量または直接の押付力が、転写ユニットにおける対応する値よりも小さいか、それと等しくなるまで引き下げられるようになっていてよく、または、転写ユニットにおける印圧調節量もしくは押付力が後続の第３のユニットに常に等しいか、それよりも高くなるまで引き上げられるようになっていてもよい。
【００５３】
第３のユニットにおける印圧調節量または押付力が引き下げられると同時に、転写ユニットにおける印圧調節量または押付力が引き上げられ、転写ユニットにおける押付力もしくは印圧調節量が、効果の点から見て、後続の第３のユニットにおける押付力もしくは印圧調節量よりも小さくならないように相互に調整されるようにすることも、同じく十分に可能である。
【００５４】
さらに、制御量である押付力または印圧調節量のうちの１つのできるだけ正確な制御を保証するために、間隙における各面の間の押付圧は、これらの面のうちの１つにあるセンサによって認識されるようになっている。このようにして、転写ユニットの押付圧が好都合になるように、転写ユニットでの押付圧と第３のユニットの間隙での押付圧との差異が変わるか、もしくは逆になるように、転写ユニットおよび／または後続の第３のユニットにおける押付力または印圧調節量の制御を行うことができる。
【００５５】
そのために、本発明によると、フォイル転写装置は、間隙を形成する表面に少なくとも１つの圧力センサが組み込まれた構成になっているとよい。そうすればこのセンサを用いて、実際に生じている押付圧のしかるべき分析を行うことができ、測定量を検出するための検出装置に接続された評価装置によって、評価を行うことができる。そして、評価装置を含んでいる調節装置によって、各ユニットにおける対応する印圧調節量および／または押付力を、転写ユニットの間隙の各面の間で実際に作用する圧力が後続の第３のユニットにおける対応する圧力よりも決して小さくならないように制御することができる。
【００５６】
本発明によるフォイル転写装置の１つの発展例では、圧力センサを簡単に整備してその機能を確保するために、センサを含んでいる面は、交換可能な胴ばりによって構成されるようになっている。この面は、特に、転写胴の押圧ブランケットまたは後続の印刷ユニットのゴムブランケットであってよい。
【００５７】
評価装置を簡素化するために、認識された押付圧は、評価装置へ転送するために、センサから無線伝送方式によって、間隙の外部に用意された受信機へ転送されるようになっている。それにより、滑り接点や間隙の領域に用意された評価装置を省略できるという利点がある。
【００５８】
これに代えて、各面の相互の押付力を、互いに当接している面のうちの１つまたは複数の軸受の領域で力を測定することによって求めることも可能である。このことは、転写間隙の面についてだけでなく、後続の第３のユニットの間隙の面についても当てはまる。このようにして、転写ユニットおよびそれに続く第３のユニットにおいて実際に測定された押付力を、制御のために利用することができる。そして、各ユニットにおける押付力の差異が低減ないし解消されるように、調整を行うことができる。また、認識された押付力の値を測定量として利用することもでき、制御量である押付力および／または印圧調節量の制御によって、転写ユニットにおける押付力が後続のユニットの押付力よりも小さくならないように、押付力の差異を最適化することができる。
【００５９】
装置に関しては、上述したように、圧力センサによって求められた量を、少なくとも評価装置に接続された受信ユニットへ非接触で送る送信機構を含む圧力センサが設けられている。
【００６０】
本発明によると、塗布ユニット、転写ユニット、およびそれに続く１つまたは複数の第３のユニットが、すべて従来同様のオフセット印刷機の印刷ユニットであることによって、フォイル転写装置の特別に大きな柔軟性が実現される。
【００６１】
さらに本発明の目的は、胴ばり面に作用する圧力を認識するための、組み込まれた圧力センサを有する、胴に胴張りするための胴張り面によって達成される。この胴は、たとえば転写ユニットの転写胴またはしかるべき圧胴であってよく、あるいは印刷ユニットのブランケット胴であってよい。平坦な面に装着される胴ばり面も含まれる。
【００６２】
本発明によると、組み込まれた圧力センサに加えて、圧力センサにより認識された圧力を受信装置へ非接触で伝送するための、組み込まれた送信機を有する胴ばり面が設けられる。
【００６３】
特に、測定量の差が、超えてはならない限界値として設定され、またはそれに合わせて制御量が調整されるべき限界値として設定される方法ステップが含まれているとよい。このとき、常に維持されるべき測定量の差の値も設定されていてよく、その場合、制御量はこの設定にしたがって制御されなくてはならない。
【図面の簡単な説明】
【００６４】
【図１】印圧調節量を説明するための図である。
【図２】フォイル転写装置の一部を示す図である。
【図３ａ】移された転写層を備えている枚葉紙の一部を示す図である。
【図３ｂ】押付圧が引き上げられた、転写層を備えている枚葉紙を示す図である。
【図４】フォイル転写装置の調節装置を説明するための図である。
【図５】圧力センサを備えているゴムブランケットを示す図である。
【発明を実施するための形態】
【００６５】
次に、本発明の実施の形態について図面を参照して説明する。
【００６６】
図１は、印刷間隙４内の印圧調節量５を具体的に説明するための図を示している。
【００６７】
印刷ユニット１０３または転写ユニット１０２または塗布ユニット１０１の印刷間隙４は、ブランケット胴１と圧胴３とによって形成されている。このとき、圧胴３は、枚葉紙２がしかるべきユニットを通り抜け、その時に印刷間隙４を通るように枚葉紙２を導く。印刷間隙４で、枚葉紙２に押付圧２０３が及ぼされる。枚葉紙２に対するこの押付圧２０３は、ブランケット胴１の表面と枚葉紙２の表面との重なり合いの結果として生じるものである。
【００６８】
ここに図示した例では、枚葉紙２は、印刷間隙４よりも大きい枚葉紙厚さ６を有している。したがって、図示しているように被印刷体２とブランケット胴１の間に重なり合いが生じる。この重なり合いの大きさが、印圧調節量５によって表されて認識される。枚葉紙厚さ６が印刷間隙４よりも大きいので、負の印圧調節量５で表される。ただし、通常は正負記号は省略され、印圧調節量５の値だけで表記される。印圧調節量５は一般に調整可能な制御量であり、それと同時に、認識することができる測定量でもある。
【００６９】
考えられる印圧調節量は、数字のうえでは０．１ｍｍから０．３ｍｍの範囲内で調整することができるが、０．１ｍｍから０．１５の間の値がよく用いられる。
【００７０】
図２は、フォイル転写装置１００の一部を破断した側面図を示している。ここに図示したフォイル転写装置１００は、通常の印刷機を改変したものである。図面を見やすくするために、ここではフォイル転写装置１００の３つのユニット１０１，１０２，１０３だけを示している。この時、フォイル転写装置１００はさらに別のユニット、たとえば印刷ユニット、頁番号付けユニット、プレスユニットなどを有していてもよい。特に、フォイル転写装置１００の給紙装置と排紙装置はここには図示していない。
【００７１】
枚葉紙１０４は右から左に、図示しない給紙装置からフォイル転写装置１００を通って導かれる。まず、塗布ユニット１０１で枚葉紙１０４に接着剤が付与される。次いで、接着剤が付与された枚葉紙１０４は、フォイル転写装置を通って運ばれていき、転写膜１０６とともに転写ユニット１０２の転写間隙１０５を通り抜けるように導かれる。
【００７２】
ここで、転写ユニット１０２の転写間隙１０５は、転写胴１０６と圧胴１０７によって形成される。転写胴１０６は、従来同様の印刷ユニットのブランケット胴でもある場合が多い。
【００７３】
図１に示すように、転写胴１０６と圧胴１０７は、枚葉紙１０４を考慮に入れて負の印圧調節量５が生じるように、互いに当接させられている。このようにして、転写間隙１０５において、圧力作用のもとで、転写層２０１が転写フォイル１０８から、接着剤を付与された被印刷体１０４へ移される。
【００７４】
このとき、転写層２０１を移すことは、鋭い端縁部によって、枚葉紙１０４の、接着剤層２０２が付与された領域のみに行われる。
【００７５】
こうして接着剤層２０２と転写層２０１を付与された枚葉紙１０４は、フォイル転写装置１００を通ってさらに導かれ、最初の第３のユニット１０３に供給される。ここに図示した例では、この第３のユニットは印刷ユニット１０３である。枚葉紙１０４は印刷間隙１０９を通り抜けるように導かれて、インキが付与される。この時、印刷ユニット１０３のインキは、転写層２０１を有している領域、または有していない領域のいずれにも移され得る。印刷ユニット１０３はインキ塗布のためにインキ装置１１２を含んでいる。
【００７６】
印刷間隙１０９は、ブランケット胴１１０と圧胴１１によって形成されている。ここでも、図示しない印刷インキを移すために、圧胴１１１とブランケット胴１１０の間に、負の印圧調節量５が設定される。
【００７７】
枚葉紙１０４は、引き続いてフォイル転写装置１００を通り抜けるように導かれ、印刷ユニット１０３の後に配置された他の第３のユニットへ供給される。あるいは、枚葉紙１０４が他の第３のユニットに供給されるのではなく、場合によっては、乾燥区間を通過した後に、引き続いて、図示しない排紙装置へただちに供給されることも可能である。図示しない他の第３のユニットは、印刷ユニット、塗工（ニス塗布）ユニット、型押しユニット、プレスユニット、頁番号付けユニット、打ち抜きユニット、または穴あけユニットなどであってもよい。
【００７８】
図３ａは、塗布ユニット１０１と転写ユニット１０２を通過した後の枚葉紙１０４を横から模式的に示している。塗布ユニット１０１で接着剤層２０２が領域ごとに枚葉紙１０４上へ移され、次いで、転写ユニット１０２で転写層２０１が転写フォイル１０８から接着剤層２０２上へ塗布される。転写ユニット１０２における負の印圧調節量５によって、転写間隙１０５でも、接着剤層２０２を備えている枚葉紙１０４に押付圧２０３が及ぼされる。それによって接着剤層は押し広げられるので、より広い面積を占める。このことは、少なくとも、塗布ユニット１０１にて転写間隙１０５より低い押付圧が生じている限り該当する。
【００７９】
塗布ユニット１０１の印刷間隙１０９と、転写ユニット１０２の転写間隙との圧力に関する様々な状況に関わりなく、転写間隙１０５では、接着剤層２０２に全面にわたって転写フォイル１０８の転写層２０１が供給され、実質的に端縁部同士を正しく合わせて、転写フォイル１０８から剥ぎとられる。したがって、枚葉紙１０４の上の接着剤層２０２と実質的に同じ面積だけ広がっている、比較的鋭い端縁部を有する転写層２０１が形成される。
【００８０】
接着剤層２０２と転写層２０１とを備えている枚葉紙１０４が、その後に続くユニット１０３を通過するように導かれ、そこでいっそう大きな押付圧２０３が転写層２０１、枚葉紙１０４、および接着剤層２０２に及ぼされるとしたら、接着剤層は実質的に非圧縮性であるため、転写層２０１の下の接着剤層２０２が押されて外にはみ出し、転写層２０１の縁部の横に接着剤層２０２のはみ出し縁部２０４が形成される。その場合、接着剤層２０２のはみ出し縁部２０４は、印刷ユニット１０３でブランケット胴１１０に移され、それに伴ってインキ装置１１２へ移される。接着剤の塊がインキ装置１１２へ移されることによって、印刷ユニット１０３のインキが汚れる可能性がある。しかもブランケット胴１１０上の接着剤は、次の枚葉紙１０４から転写層２０１を引き剥がしてブランケット胴１１０上へ残す可能性が生じるように作用する。このように、印刷ユニット１０３により生成される被印刷体１０４上の印刷画像の汚れが生じ、そのうえ転写層２０１の損傷も生じてしまうおそれがある。
【００８１】
このはみ出し縁部２０４の生成が大きな押付圧２０３によって引き起されることが、図３ｂに示されている。
【００８２】
図４には、転写ユニット１０２と、それに続く第３のユニット、すなわち印刷ユニット１０３との印圧調節量を調整する、フォイル転写ユニットの調節装置が模式的に示されている。
【００８３】
ここでは、前の図面と同じ部材は同じ符号で表している。図面を見やすくするために、調節工程に関与しない部材はここでは図示省略してある。
【００８４】
転写ユニット１０２および印刷ユニット１０３で、印圧調節量３０１もしくはこれに対応する押付圧が枚葉紙１０４に及ぼされる。印圧調節量３０１はここでは測定量であり、検出装置３０２によって認識することができ、検出装置３０２から評価装置３０４へ転送される。遅くとも評価装置３０４が、認識された測定量に、比較用の数値を割り当てる。この数値は差生成機構３０５に供給され、差生成機構は差を求めた結果を制御装置３０６へ転送する。差生成機構３０５で求められた差の大きさと正負記号に応じて、制御装置３０６は転写胴１０６もしくはブランケット胴１１０を制御し、制御量として機能する印圧調節量３０１が、フォイル転写ユニット１０２の印圧調節量３０１が印刷ユニット１０３の印圧調節量よりも小さくなるのを回避するように、その都度変更されるようにする。フォイル転写ユニット１０２では、後続の印刷ユニットよりも小さい印圧調節量３０１が設定されることはない。
【００８５】
第１の実施形態では、フォイル転写ユニット１０２の印圧調節量３０１は、差生成機構３０５における差が少なくとも再びゼロになるまで、あるいはフォイル転写ユニット１０２の印圧調節量が印刷ユニット１０３の印圧調節量３０１よりも大きくなるまで、引き上げられる。
【００８６】
第２の実施形態では、印刷ユニット１０３の印圧調節量３０１は、フォイル転写ユニット１０２の印圧調節量３０１が印刷ユニット１０３の印圧調節量３０１と等しいか、またはそれよりも大きいことが差生成機構３０５で認識されるまで、引き下げられる。
【００８７】
また、第３の実施形態では、印刷ユニット１０３の印圧調節量３０１が引き下げられると同時に、フォイル転写ユニット１０２の印圧調節量３０１が引き上げられ、それにより、ここではフォイル転写ユニット１０２において、後続の印刷ユニット１０３と少なくとも同じ大きさの印圧調節量３０１、またはそれよりも大きい印圧調節量３０１が生じるような差が、差生成機構３０５で結果として生じ得るようにする。
【００８８】
図５は、図２において印刷ユニット１０３について示されている印刷間隙１０９を示している。
【００８９】
印刷間隙は、ここでも圧胴１１１とブランケット胴１１０により形成される。図２の簡略化した図面とは異なり、ここでは胴ばり、すなわちブランケット胴１１０のゴムブランケット４０１も図示されている。
【００９０】
図４に示すように、調節装置３０３は、転写ユニット１０２における印圧調節量３０１もしくはその後に続く印刷ユニット１０３のような第３のユニットにおける印圧調節量３０１を、それぞれのユニットで認識された印圧調節量３０１に応じて制御することができる。あるいは、前記したユニットにおける印圧調節量３０１を、印刷ユニット１０３の印刷間隙１０９で測定された圧力、もしくは転写ユニット１０２の転写ユニット１０５で測定された圧力に応じて直接制御することもできる。
【００９１】
転写ユニット１０２もしくは印刷ユニット１０３で測定量として求められた印圧調節量３０１に代えて、実際に生じている圧力に合わせて制御するために、ここで説明する実施形態では、張り渡されたゴムブランケット４０１に、送信機４０３と接続された圧力センサ４０２が組み込まれている。この送信機は、測定された圧力を無線で受信装置４０４に伝送し、受信装置はこの認識された値をさらに検出装置３０２へ送る。（引き続き制御量として機能する）印圧調節量３０１の、関連するユニットでのそれ以後の制御は、図４で説明したのと同様に、そこに設けられている装置によって行われる。転写ユニット１０２と印刷ユニット１０３における印圧調節量３０１の差に合わせて制御をする代わりに、ここでは、転写間隙１０５と印刷間隙１０９に生じている圧力の差に合わせて直接制御が行われる。このことは、そこに設けられている圧力センサ４０２によって可能になっている。
【００９２】
フォイル転写ユニット１０２の後に配置された第３のユニット、たとえば直後に続く印刷ユニット１０３における押付圧２０３もしくは印圧調節量３０１が、転写ユニット１０２自体で被印刷体に及ぼされる押付圧もしくは印圧調節量３０１を上回ると、塗布された転写層２０１の下の接着剤層２０２が外にはみ出してはみ出し縁部２０４が生じるという、図３ｂに示し前述した結果になる可能性がある。これは、すでに前述したように不都合な結果になる。そこで、後続の第３のユニットで転写ユニット１０２よりも大きな押付圧２０３が生じるのを、調節装置３０３によって回避することができる。
【００９３】
そのために、調節装置３０３がどの測定量を用いて制御を行うかについて、さしあたって３通りの実施形態がある。第１の実施形態では、転写ユニット１０２だけでなくその後に続く第３のユニット、たとえば後続の印刷ユニット１０３でも直接認識される印圧調節量３０１である。これに代えて、図５に示すように、圧力センサ４０２で測定される圧力を用いて直接制御を行うこともでき、また、各ユニットの胴の押付力を測定量として利用することもできる。
【００９４】
すでに説明したとおり、どのユニットで、すなわち転写ユニットと印刷ユニット１０３のどちらで、大きな押付圧２０３または大きな印圧調節量３０１が発生もしくは存在しているかを知るために用いられる差が生成される（またはこれに代えて商を生成することも可能である）。
【００９５】
そのときに、転写ユニット１０２で、すなわち厳密に言えば転写ユニット１０２の転写間隙１０５で、それに続く印刷ユニット１０３よりも大きな押付圧２０３が生じていることが認識されると、印圧調節量３０１の制御、または関連する胴の軸受に作用する押付力の制御は、省略することができる。その場合には、移される転写層の品質、またはそれに続く転写層もしくは被印刷体１０４への印刷の品質を低下させるおそれのない圧力状況が生じている。
【００９６】
押付圧２０３に代えて、印圧調節量３０１または押付力を用いた制御が行われる場合についても同様のことが言える。転写ユニット１０２での印圧調節量３０１が、それに続く印刷ユニット１０３での印圧調節量を上回っていることが認識されれば、品質を保証するための制御は必要ない。
【００９７】
転写ユニット１０２における測定量としての押付圧２０３または印圧調節量３０１もしくは押付力が、それに続く印刷ユニット１０３における押付圧２０３または印圧調節量３０１もしくは押付力よりも小さいことが認識されると、たとえば後続の印刷ユニット１０３など、後続のいずれの第３のユニットでも、押付圧２０３または印圧調節量３０１または押付力がフォイル転写ユニット１０２の押付圧２０３もしくは印圧調節量３０１または押付力を上回らない状態に復帰するように、調節装置３０３による制御が行われる。
【００９８】
印刷製品の品質を高いレベルで保証するために設定されるべき状態は、さまざまな実施形態の方法を通じて実現することが可能である。
【００９９】
実施形態１ａ：
転写ユニット１０２で、転写間隙１０５の（制御量である）印圧調節量が、それに続く印刷ユニット１０３の（測定量である）印圧調節量に少なくとも一致するまで引き上げられる。
【０１００】
実施形態１ｂ：
印圧調節量ではなく、測定量である測定された押付圧２０３を用いた制御が行われるときには、転写間隙１０５で測定された押付圧２０３がそれに続く印刷間隙１０９で測定された押付圧２０３と少なくとも同じ大きさになるまで、フォイル転写ユニット１０２における（制御量である）印圧調節量３０１が引き上げられる。
【０１０１】
実施形態１ｃ：
押付圧２０３または印圧調節量３０１を認識してそれを用いて制御するのではなく、たとえば、測定量である、ブランケット胴１１０または転写胴１０６がそのジャーナルを介して圧胴１１１または１０７に対して押し付けられる当接力を用いて直接制御する実施形態も可能である。その場合、後続の印刷ユニット１０３での押付力がフォイル転写ユニット１０２での押付力を上回ると、（ここでは制御量である）転写ユニット１０２の押付力を、後続の印刷ユニット１０３の当接力に少なくとも一致するまで引き上げることができる。
【０１０２】
実施形態１ｄ：
測定された押付圧２０３を用いて制御が行われ、ブランケット胴１１０もしくは転写胴１０６の押付力を調整可能であり、かつ測定工学的に評価可能である場合には、転写ユニット１０２で測定される押付圧がそれに続く印刷ユニット１０３の押付圧２０３と少なくとも同じ大きさになるまで、転写ユニット１０２の転写胴１０６に対する押付力を直接制御して引き上げることもできる。
【０１０３】
実施形態２：
転写ユニット１０２の転写間隙１０５における印圧調節量３０１、押付圧２０３、または押付力がそれぞれ一定に保たれ、後続の印刷ユニット１０３における制御量であるブランケット胴１１０の印圧調節量３０１または押付力が引き下げられて、結果的に、転写ユニット１０２における測定量である印圧調節量３０１、押付力、または押付圧２０３が、少なくとも、後続の印刷ユニット１０３における印圧調節量３０１、押付力、または押付圧２０３とちょうど同じ大きさになるように再び設定される実施形態でも、実施形態１ａ〜１ｄと同じ方法ステップが考えられる。
【０１０４】
実施形態３：
フォイル転写ユニット１０２における印圧調節量３０１、押付力、または押付圧２０３が、後続の印刷ユニット１０３における印圧調節量１０３、押付力、または押付圧２０３と、少なくとも等しい大きさになるように、実施形態１と実施形態２を組み合わせることも考えられ、その場合、転写ユニット１０２とそれに続く印刷ユニット１０３において等しい印圧調節量３０１、等しい押付力、または等しい押付圧２０３のいずれかが生成されるまで、または、転写ユニット１０２における印圧調節量３０１、押付力、または押付圧２０３が後続の印刷ユニット１０３における対応する値を上回るまで、転写ユニット１０２と印刷ユニット１０３のそれぞれの印圧調節量３０１が同時に変更されるか、または、転写胴１０６とブランケット胴１１０に対する押付力が同時に変更されるか、または、両ユニットのうちの一方で印圧調節量３０１が変更され他方のユニットで押付力が変更される。
【０１０５】
考えられるこれらの方法のいずれにも共通しているのは、調節装置３０３によるこのような制御によって、転写ユニット１０２に続く第３のユニット、たとえば後続の印刷ユニット１０３で、接着剤層２０２が外に押し出されるのが回避され、結果として得られる印刷製品の品質が、接着剤層２０２の押し出されたはみ出し縁部２０４によって低下することがなくなるか、または少なくともその低下の程度を小さくすることができるという利点があることである。
【符号の説明】
【０１０６】
１  ブランケット胴
２  枚葉紙
３  圧胴
４  印刷間隙
５  枚葉紙の厚さ
１００  フォイル転写装置
１０１  塗布ユニット
１０２  転写ユニット
１０３  印刷ユニット
１０４  枚葉紙
１０５  転写間隙
１０６  転写胴
１０７  圧胴
１０８  転写フォイル
１０９  印刷間隙
１１０  ブランケット胴
１１１  圧胴
１１２  インキ装置
２０１  転写層
２０２  接着剤層
２０３  押付圧
２０４  はみ出し縁部
３０１  印圧調節量または押付圧
３０２  検出装置
３０３  調節装置
３０４  評価装置
３０５  差生成機構
３０６  制御装置
４０１  ゴムブランケット
４０２  圧力センサ
４０３  送信機
４０４  受信装置
【図１】
0005324243.tif 000002
【図２】
0005324243.tif 000003
【図３ａ】
0005324243.tif 000004
【図３ｂ】
0005324243.tif 000005
【図４】
0005324243.tif 000006
【図５】
0005324243.tif 000007